【事件の表示】
　特願２０１５−　　２６４１「ビデオ符号化のための方法および装置」拒絶査定不服審判事件〔平成２７年　６月１１日出願公開、特開２０１５−１０９６８０〕について、次のとおり審決する。
【結　論】
　本件審判の請求は、成り立たない。
【理　由】
第１　手続の経緯
　本願は、２００６年（平成１８年）３月１６日（パリ条約による優先権主張外国庁受理２００５年４月１３日、米国、２００５年７月２０日、米国）を国際出願日とする出願である特願２００８−５０６４６７号の一部を、数次の分割を経て平成２７年１月８日に新たな特許出願としたものであって、平成２７年１０月１６日付けで拒絶の理由が通知され、それに応答して平成２８年４月２１日付けで手続補正がなされたが、平成２８年６月２９日付けで拒絶査定がなされた。
　これに対し、平成２８年１１月２日に拒絶査定不服審判が請求され、同時に手続補正がなされたものである。
第２　平成２８年１１月２日付けの手続補正についての補正却下の決定
［補正却下の決定の結論］
　平成２８年１１月２日付けの手続補正（以下、「本件補正」という。）を却下する。
［理由］
１．本件補正の内容
　本件補正は、補正前の平成２８年４月２１日付けの手続補正による特許請求の範囲の請求項１ないし２０を、本件補正による特許請求の範囲の請求項１ないし２０に補正するものであるところ、本件補正は、請求項１に係る次の補正事項を含むものである（下線は補正箇所）。
（補正前の請求項１）
「【請求項１】
　画像ブロックのためのビデオ信号データを符号化するための装置であって、前記ビデオ信号データの色成分を、それらに残差色変換を適用することなく符号化する符号器を含み、前記符号器は、共通の予測器を使用して、前記ビデオ信号データの前記色成分のすべてを符号化し、前記ビデオ信号データのサンプリングが、４：４：４フォーマットに対応する、前記装置。」
　とあるのを、
（補正後の請求項１）
「【請求項１】
　画像ブロックのためのビデオ信号データを符号化するための装置であって、前記ビデオ信号データの色成分を、それらに残差色変換を適用することなく符号化する符号器を含み、前記符号器は、共通の
色成分
および予測フレームについて同じ補間フィルタ
　と補正する。
　本件補正の請求項１に係る補正は、補正前の請求項１における「前記符号器は、共通の予測器を使用して、前記ビデオ信号データの前記色成分のすべてを符号化し」という構成を、「前記符号器は、共通の
色成分
および予測フレームについて同じ補間フィルタ
２．補正の適合性
（１）補正の目的
　上記補正事項は、発明特定事項である「符号化器」について、「予測器」を「色成分予測器」とし、さらに「予測フレームについて同じ補間フィルタを使用」することを追加するものであるので、特許請求の範囲の減縮を目的とする補正といえ、補正前の請求項に記載された発明と補正後の請求項に記載された発明の産業上の利用分野及び解決しようとする課題は変わるものではなく同一であるといえるから、特許法第１７条の２第５項第２号の規定に該当するものである。
（２）補正の範囲及び単一性について
　上記補正事項は、「色成分予測器」については、願書に最初に添付した明細書の段落［００３６］の記載、「予測フレームについて同じ補間フィルタを使用」することについては、同段落［００４７］の記載に基づくものである。
　よって、本件補正は、願書に最初に添付した明細書、特許請求の範囲又は図面に記載した事項の範囲内においてするものであり、特許法第１７条の２第３項の規定に適合するものである。
　また、各補正事項は、上記のように、特許請求の範囲の減縮を目的とする補正であるから、補正前の請求項に記載された発明と補正後の請求項に記載された発明とは発明の単一性の要件を満たすものといえ、本件補正は特許法第１７条の２第４項の規定に適合するものである。
（３）独立特許要件
　以上のように、本件補正は特許請求の範囲の減縮を目的とする補正事項を含むものであるので、本件補正後の請求項１に記載された発明が、特許法第１７条の２第６項において準用する同法第１２６条第７項の規定に適合するか（特許出願の際独立して特許を受けることができるものであるか）について以下に検討する。
（３−１）本願補正発明
　本件補正後の請求項１に係る発明（以下「本願補正発明」という。）は、次のとおりのものである。
　なお、本願補正発明の各構成の符号は、説明のために当審において付与したものであり、以下、構成（Ａ）、構成（Ｂ）などと称する。
（本願補正発明）
（Ａ）画像ブロックのためのビデオ信号データを符号化するための装置であって、
（Ｂ）前記ビデオ信号データの色成分を、それらに残差色変換を適用することなく符号化する符号器を含み、
（Ｃ）前記符号器は、共通の色成分予測器および予測フレームについて同じ補間フィルタを使用して、前記ビデオ信号データの前記色成分のすべてを符号化し、
（Ｄ）前記ビデオ信号データのサンプリングが、４：４：４フォーマットに対応する、
（Ａ）前記装置。
（３−２）引用文献に記載される発明及び技術
（３−２−１）引用文献１
ア．引用文献１の記載事項
　原査定の拒絶の理由に引用された引用文献１である特開２００５−３９７４３号公報には、「画像情報符号化装置及び方法、並びに画像情報復号装置及び方法」（発明の名称）に関し、図面と共に次に掲げる事項が記載されている。
　なお、下線は強調のために当審で付したものである。
（ア）「【技術分野】
【０００１】
　
本発明は、ＭＰＥＧ（Moving Picture Experts Group）、Ｈ．２６ｘ等のように、離散コサイン変換又はカルーネン・レーベ変換等の直交変換と動き予測・補償とによって圧縮された画像圧縮情報（ビットストリーム）を、
用いられる画像情報符号化装置
に関する。
（イ）「【０００５】
　さらに、近年、テレビ会議用の画像符号化を当初の目的として、Ｈ.２６４（ITU-T Q6/16 VCEG）という標準の規格化が進んでいる。Ｈ．２６４は、ＭＰＥＧ２やＭＰＥＧ４といった従来の符号化方式に比べ、その符号化、復号により多くの演算量が要求されるものの、より高い符号化効率が実現されることが知られている。
また、現在、ＭＰＥＧ４の活動の一環として、このＨ．２６４をベースに、Ｈ．２６４ではサポートされない機能をも取り入れ、より高い符号化効率を実現する標準化がＪＶＴ（Joint Video Team）によって行われている。
（ウ）「【発明が解決しようとする課題】
【００２１】
　
ところで、JVT Codec（H.264｜MPEG-4 AVC）では、上述したように、イントラ符号化を行う際に、ブロックの周辺の画素から予測画像を生成してその差分を符号化するというイントラ予測符号化が採用されている。
【００２２】
　ここで、輝度成分に関しては、４×４画素ブロック単位に予測を行うイントラ４×４予測モードと１６×１６画素ブロック（マクロブロック）単位で予測を行うイントラ１６×１６予測モードとの２つの予測方式が用いられている。
【００２３】
　一方、色差成分に関しては、Ｃｂ，Ｃｒそれぞれの８×８ブロック単位で予測を行う。この予測符号化の方法は、イントラ１６×１６予測モードと同様であり、当該予測モードを８×８ブロック単位に変更したものである。色差のイントラ予測符号化における予測モードを図１１に示す。図１１に示すように、JVT Codecでは、
　(a) Vertical mode（mode=0）
　(b) Horizontal mode（mode=1）
　(c) DC mode（mode=2）
　(d) Plane Prediction mode（mode=3）
の４つの予測モードが定義されており、最も予測残差の少ない予測モードに従って予測画像が生成される。以下、この４つの予測モードにおける予測画像の生成手法について説明する。
（中略）
【００５６】
　以上のようにして、JVT Codecではイントラ予測符号化が行われているが、上記手法を用いても、色差のイントラ予測符号化はブロックサイズが小さいため、輝度と比べると符号化効率がよくないという問題があった。
【００５７】
　また、上記手法は、４：２：０フォーマット、ＹＣｂＣｒ色空間のみにしか対応しておらず、４：２：２フォーマット、４：４：４フォーマット、ＲＧＢ色空間、ＸＹＺ色空間等の場合には符号化することができないという問題があった。
【００５８】
　
本発明は、このような従来の実情に鑑みて提案されたものであり、４：２：２フォーマット，４：４：４フォーマット, ＲＧＢ色空間、ＸＹＺ色空間等の画像であっても、より効率よく符号化することを可能にする
（エ）「【００６７】
　（１）画像情報符号化装置の構成及び動作
　先ず、本実施の形態における画像情報符号化装置の概略構成を図１に示す。図１に示すように、
画像情報符号化装置１０は、Ａ／Ｄ（Analogue/Digital）変換部１１と、画像並び替えバッファ１２と、加算器１３と、直交変換部１４と、量子化部１５と、可逆符号化部１６と、蓄積バッファ１７と、逆量子化部１８と、逆直交変換部１９と、加算器２０と、フレームメモリ２１と、動き予測・補償部２２と、イントラ予測部２３と、レート制御部２４とにより構成されている。
【００６８】
　図１において、
Ａ／Ｄ変換部１１は、入力された画像信号をデジタル信号に変換する。
【００６９】
　可逆符号化部１６は、量子化された変換係数に対して可変長符号化、算術符号化等の可逆符号化を施し、符号化された変換係数を蓄積バッファ１７に供給して蓄積させる。
この符号化された変換係数は、画像圧縮情報として出力される。
（オ）「【００７１】
　一方、
画像並び替えバッファ１２は、インター（画像間）符号化が行われる画像に関しては、画像情報を動き予測・補償部２２に供給する。動き予測・補償部２２は、同時に参照される画像情報をフレームメモリ２１より取り出し、動き予測・補償処理を施して参照画像情報を生成する。
（カ）「【００７４】
　（２）画像情報符号化装置における本発明の適用部分
　（２−１）イントラ予測部
　イントラ予測部２３の構成の一例を図２に示す。
イントラ予測部２３は、色成分の解像度が４：２：０フォーマット、４：２：２フォーマット、４：４：４フォーマット等の何れであるかを示すクロマフォーマット信号、及び色空間がＹＣｂＣｒ、ＲＧＢ、ＸＹＺ等の何れであるかを示す色空間信号に基づいて、予測の手法を切り替える。
【００７５】
　図２に示す
イントラ予測部２３において、クロマフォーマット信号及び色空間信号は、スイッチ３０，３２に供給される。スイッチ３０，３２では、クロマフォーマット信号及び色空間信号に基づき、イントラ予測器３１ａ，３１ｂ，３１ｃの何れかを選択し、
【００７６】
　（２−１−１）
　先ず、イントラ予測器３１ａの動作を説明する。
このイントラ予測器３１ａでは、クロマフォーマット信号が４：２：０フォーマットを示し、色空間信号がＹＣｂＣｒを示す画像信号に対し、８×８ブロックを単位として予測を行う。
【００７７】
　（２−１−２）
　次に、イントラ予測器３１ｂの動作を説明する。イントラ予測器３１ｂにおいてもイントラ色差予測モードには、Vertical mode、Horizontal mode、DC mode、Plane prediction mode の４つの予測モードが存在する。
このイントラ予測器３１ｂでは、クロマフォーマット信号が４：２：２フォーマットを示し、色空間信号がＹＣｂＣｒを示す画像信号に対し、マクロブロック中の連続する縦方向の２つの８×８ブロックをまとめて８×１６ブロックを構成し、この８×１６ブロックを単位として予測を行う。
（中略）
【０１０６】
　（２−１−３）
　続いて、イントラ予測器３１ｃの動作を説明する。イントラ予測器３１ｃにおいてもイントラ色差予測モードには、Vertical mode、Horizontal mode、DC mode、Plane prediction mode の４つの予測モードが存在する。
このイントラ予測器３１ｃでは、クロマフォーマット信号が４：４：４フォーマットを示し、色空間信号がＹＣｂＣｒ、ＲＧＢ又はＸＹＺを示す画像信号に対し、マクロブロック中の連続する縦横方向の４つの８×８ブロックをまとめて１６×１６ブロックを構成し、この１６×１６ブロックを単位として予測を行う。
イ．引用文献１に記載される発明
　引用文献１に記載された発明を以下に認定する。
（ア）上記ア（ア）ないし（ウ）によれば、引用文献１には、ＪＶＴ（Ｈ．２６４／ＭＰＥＧ−４　ＡＶＣ）方式に準じた画像情報符号化装置に関する発明が記載されており、上記ア（ウ）によれば、その発明は、４：４：４フォーマットの画像のイントラ予測符号化を効率化することを目的としたものである。
（イ）上記ア（エ）によれば、画像情報符号化装置は、直交変換部、量子化部、フレームメモリ、動き予測・補償部、イントラ予測部等により構成され、入力された画像信号を符号化して出力する。
（ウ）上記ア（オ）によれば、動き予測・補償部は、インター符号化が行われる画像に関し、参照される画像情報をフレームメモリより取り出し、動き予測・補償処理を施す。
（エ）上記ア（カ）によれば、イントラ予測部は、色成分の解像度が４：２：０フォーマット、４：２：２フォーマット、４：４：４フォーマット等の何れであるかを示すクロマフォーマット信号、及び色空間がＹＣｂＣｒ、ＲＧＢ、ＸＹＺ等の何れであるかを示す色空間信号に基づいて、予測の手法を切り替え、イントラ予測器３１ａ，３１ｂ，３１ｃの何れかを選択する。
　イントラ予測器３１ａでは、クロマフォーマット信号が４：２：０フォーマットを示し、色空間信号がＹＣｂＣｒを示す画像信号に対して予測を行う。
　イントラ予測器３１ｂでは、クロマフォーマット信号が４：２：２フォーマットを示し、色空間信号がＹＣｂＣｒを示す画像信号に対して予測を行う。
　イントラ予測器３１ｃでは、クロマフォーマット信号が４：４：４フォーマットを示し、色空間信号がＹＣｂＣｒ、ＲＧＢ又はＸＹＺを示す画像信号に対して予測を行う。
　すなわち、イントラ予測部は、クロマフォーマット信号が４：４：４フォーマットを示す画像信号をイントラ予測器３１ｃにより予測を行う。
（オ）まとめ
　上記（ア）ないし（エ）によると、引用文献１には、次の発明（以下「引用発明」という。）が記載されていると認められる。
（引用発明）
（ａ）入力された画像信号を符号化して出力するＪＶＴ（Ｈ．２６４／ＭＰＥＧ−４　ＡＶＣ）方式に準じた画像情報符号化装置であって、
（ｂ）直交変換部、量子化部、フレームメモリ、動き予測・補償部、イントラ予測部等により構成され、
（ｃ）動き予測・補償部は、インター符号化が行われる画像に関し、参照される画像情報をフレームメモリより取り出し、動き予測・補償処理を施し、
（ｄ）イントラ予測部は、クロマフォーマット信号が４：４：４フォーマットを示す画像信号をイントラ予測器３１ｃにより予測を行う、
（ａ）画像情報符号化装置。
（３−２−２）引用文献４
　原査定の拒絶の理由に引用された引用文献４である「Woo-Shik Kim, et al., “Proposal for the unsolved issues in Professional Extensions II”, Joint Video Team (JVT) of ISO/IEC MPEG  ITU-T VCEG (ISO/IEC JTC1/SC29/WG11 and ITU-T SG16 Q.6) 10th JVT Meeting 8-12 December, 2003, Hawaii, Document: JVT-J018」には、次に掲げる事項が記載されている。
　なお、下線は強調のために当審で付したものである。括弧内に当審で作成した日本語仮訳を添付する。
「1. Introduction
This proposal addresses issues that were not resolved from the previous meeting in San Diego [1]. 
It includes the intra Chroma prediction, MC interpolation method, CBP coding for 4:4:4 Chroma formats. We also propose a mathematically lossless RGB coding for archive uses and XYZ coding.
（１．導入
この提案は、サンディエゴで開催された前回の会議[1]で解決されなかった問題に対処しています。
これは、イントラクロマ予測、MC補間法、4：4：4クロマフォーマットのCBP符号化が含まれます。また、アーカイブ用途のための数学的にロスレスなRGB符号化とXYZ符号化を提案します。
「2.2. Intra Chroma Prediction
Two methods were proposed for intra Chroma prediction for 4:4:4 format.
In [4], only Intra_16x16 prediction was used for the intra Chroma prediction even though there are two modes (4x4 and 16x16 prediction) for Luma cases. It will decrease the coding efficiency since there are many cases where 16x16 intra prediction is not good enough due to the local characteristics of Chroma plane.
On the other hand, we proposed to use two modes for the Chroma cases as in the Luma cases. To further exploit the texture correlation between the Luma and the Chroma components, we used the same intra prediction for the Luma and Chroma cases [2]. For example, when Intra_4x4 Horizontal prediction is selected, all components use the same Intra_4x4 Horizontal prediction. This single mode can reduce the encoder complexity while slightly sacrificing the coding efficiency when compared with the case that relaxes the condition of single mode. 
（２．２．イントラクロマ予測
４：４：４フォーマットのイントラクロマ予測のために２つの方法が提案された。
[4]では、輝度の場合には２つのモード（4x4と16x16予測）があるにもかかわらず、イントラクロマ予測にはIntra_16x16予測のみが使用されていた。これは、クロマ平面の局所特性のために16x16イントラ予測が十分でない場合が多いため、符号化効率を低下させる。
一方、我々は、輝度の場合のようにクロマの場合に２つのモードを用いることを提案した。輝度成分とクロマ成分間のテクスチャ相関をさらに利用するために、輝度とクロマの場合で同じイントラ予測を使用した[2]。例えば、Intra_4x4水平予測が選択されると、すべての成分で同じIntra_4x4水平予測を使用する。この単一モードは、単一モードの状態を緩和する場合と比較して、符号化効率をわずかに犠牲にしながら、符号化器の複雑さを低減することができる。
「2.3. MC Interpolation for 4:4:4 Chroma formats
We conducted an extensive simulation to compare the performances between 6-tab filter and bilinear transform for various 4:4:4 chroma format contents both in YUV and RGB spaces.
（２．３．4：4：4クロマフォーマットのMC補間
YUVとRGB空間の両方のさまざまな4：4：4クロマフォーマットのコンテンツに対して、６タブフィルタとバイリニア変換の間のパフォーマンスを比較するための広範なシミュレーションを行いました。
　引用文献４は、ＪＶＴにおける提案書であるからＪＶＴ符号化方式に関する技術を開示したものであり、以上の記載によれば、引用文献４には、『ＪＶＴ符号化方式におけるＹＵＶ、ＲＧＢ、ＸＹＺの色成分の４：４：４フォーマットのイントラクロマ予測において、輝度成分とクロマ成分間のテクスチャ相関を利用して、輝度とクロマの場合で同じイントラ予測を使用することにより、符号化効率をわずかに犠牲にしながら、符号化器の複雑さを低減する技術』が記載されているといえる。
（３−２−３）引用文献５
ア．引用文献５の記載事項
　原査定の拒絶の理由に引用された引用文献５である特開２００５−３９８４２号公報には、「カラー映像のためのビデオ符号化／復号化装置およびその方法」（発明の名称）に関し、図面と共に次に掲げる事項が記載されている。
　なお、下線は強調のために当審で付したものである。
（ア）「【技術分野】
【０００１】
　
本発明は、
カラー映像の色情報および解像度情報による最適の符号化／復号化を行う装置およびその方法に関する。
【背景技術】
【０００２】
　従来のビデオ（ビデオ信号）圧縮方法は、圧縮率を高めるために、機器から直接取得できるＲ−Ｇ−Ｂなどの映像形式を圧縮に適したＹ−Ｃｂ−Ｃｒなどの映像形式に変換する。また、従来のビデオ圧縮方法は、圧縮効率を高めるためにＣｂ成分およびＣｒ成分を四分の一のサイズに減らして符号化する。しかし、従来のビデオ圧縮方法は、高品質の映像復元を必要とするアプリケーションに適するものとはいえない。
それは、Ｃｂ成分およびＣｒ成分のサブサンプリングによってＣｈｒｏｍａ（Ｃｂ、Ｃｒ）成分にエネルギー損失が発生し、さらにＲ−Ｇ−Ｂ成分をＹ−Ｃｂ−Ｃｒ成分に変換する時に映像の品質損失が発生するためである。このような損失を減らすためには、Ｃｂ成分およびＣｒ成分をＹ成分と同じ解像度で符号化する必要がある。
【０００３】
　
もし、Ｙ−Ｃｂ−Ｃｒ成分を符号化するとき、さらに良い品質を所望するのであれば、Ｒ−Ｇ−Ｂ成分を直接符号化することにより、Ｙ−Ｃｂ−Ｃｒ成分に変換する時に発生する損失をなくして、映像品質の損失を低減する必要がある。しかし、従来のビデオ圧縮手法は、従来型のＹ−Ｃｂ−Ｃｒ符号化器を利用してＲ−Ｇ−Ｂ成分を符号化するものであり、Ｒ−Ｇ−Ｂカラー成分に存在するＹ−Ｃｂ−Ｃｒ成分とは異なる特性を利用することができない。このような従来の手法として代表的なものが、２つの国際標準化機構であるＩＳＯ／ＩＥＣのＭＰＥＧおよびＩＴＵ−ＴのＶＣＥＧによる、共同ビデオチーム（Joint Video Team）のＡＶＣ／Ｈ.２６４標準化技術である。
（中略）
【発明の開示】
【発明が解決しようとする課題】
【０００６】
　
本発明が解決しようとする技術的課題は、インタープレーン（inter-plane）予測を利用してＲ−Ｇ−Ｂ映像の符号化／復号化効率を高めるビデオ符号化／復号化装置およびその方法を提供することである。
（イ）「【００２３】
　図１Ａは、本発明によるビデオ符号化装置の一実施例の構成を示す図面である。
【００２４】
　図１Ａに示すように、
本発明によるビデオ符号化装置は、第１動き予測部１００と、映像情報把握部１１０と、第２動き予測部１２０と、符号化部１３０とにより構成される。第１動き予測部１００は、インタープレーン予測部１０１と、イントラプレーン予測部１０４と、予測誤差算出部１０７とにより構成される。
（ウ）「【００２６】
　また、
第１動き予測部１００は、入力映像の色情報および解像度情報によって動き補償のために使用するフィルタタップの長さを異にする。
（エ）「【００３５】
　入力映像Ｆ（ｎ）１７０は、Ｙ−Ｃｂ−Ｃｒ映像またはＲ−Ｇ−Ｂ映像である。本発明によるビデオ符号化装置において、入力映像１７０は、ブロック単位で処理される。
第１動き予測部１００は、インタープレーン予測部１０１とイントラプレーン予測部１０４とにより構成される。インタープレーン予測部１０１は、動き予測部（Motion Estimation unit：ＭＥ）１０２および動き補償部（Motion Compensation unit：ＭＣ）１０３を含み、符号化効率を高めるために、以前の復元映像Ｆr（ｎ−１） １７２に基づいて動きを推定しかつ予測する。
（オ）「【００７４】
　図４に示すように、
本発明による動き補償装置１０３，３３２は、映像情報把握部（図示せず）と、フィルタタップ選択部４００と、長いフィルタタップ補間部４１０と、短いフィルタタップ補間部４２０と、動き補償部（Motion Compensator：ＭＣ）４３０とにより構成される。
【００７５】
　
Ｒ−Ｇ−Ｂ映像は、Ｒ、Ｇ、Ｂの各成分間の周波数特性が類似しているが、Ｙ−Ｃｂ−Ｃｒ映像は、Ｌｕｍａ成分であるＹ成分とＣｈｒｏｍａ成分であるＣｂ成分およびＣｒ成分との周波数特性が異なる。
（中略）
【００８３】
　図４および図５に示すように、フィルタタップ選択部４００は、映像情報把握部（図示せず）から受信した色情報に基づいてフィルタタップを選択する（Ｓ５００）。
もし、入力映像の色成分がＲ−Ｇ−Ｂ成分であれば（Ｓ５１０）、フィルタタップ選択部４００はＲ−Ｇ−Ｂ映像の各成分に対して同じ補間方法を選択する（Ｓ５２０）。例えば、フィルタタップ選択部４００は、Ｒ−Ｇ−Ｂ各成分のすべてに対して同じように、すなわち、すべてに長いフィルタタップ補間部４１０を選択して適用するか、すべてに短いフィルタタップ補間部４２０を選択して適用する。
イ．引用文献５に記載される技術
　引用文献５に記載された技術を以下に認定する。
（ア）上記ア（ア）によれば、引用文献５には、ＪＶＴ符号化方式に準ずるＲ−Ｇ−Ｂ映像のビデオ符号化装置が記載されている。
（イ）上記ア（イ）ないし（オ）によれば、ビデオ符号化装置は、第１動き予測部にインタープレーン予測部を備え、インタープレーン予測部は、以前の復元映像に基づいて動きを推定し予測を行う。
　インタープレーン予測部は、入力映像の色情報および解像度情報によって動き補償のために使用するフィルタタップの長さを選択するための、長いフィルタタップ補間部、短いフィルタタップ補間部、及びフィルタタップ選択部を備えた動き補償装置を有しており、入力映像がＲ−Ｇ−Ｂ映像であれば、Ｒ、Ｇ、Ｂの各成分間の周波数特性が類似していることから、フィルタタップ選択部は、Ｒ−Ｇ−Ｂ映像の各成分に対して同じ長さのフィルタタップ補間部を選択して補間を行うものである。
（ウ）上記（ア）、（イ）によると、引用文献５には、『ＪＶＴ方式に準ずるＲ−Ｇ−Ｂ映像のビデオ符号化装置の技術であって、Ｒ−Ｇ−Ｂ映像は、Ｒ、Ｇ、Ｂの各成分間の解像度、周波数特性が類似しているため、インタープレーン予測部において、Ｒ−Ｇ−Ｂ映像の各成分に対して、以前の復元映像に適用するフィルタタップ補間部として、同じ長さのフィルタタップ補間部を選択して補間を行う技術』が記載されているといえる。
（３−３）対比
　本願補正発明と引用発明とを対比する。
ア．本願補正発明の構成（Ａ）について
　引用発明の「画像情報符号化装置」は、構成（ａ）のようにＪＶＴ（Ｈ．２６４／ＭＰＥＧ−４　ＡＶＣ）方式の符号化を行う装置であるから、入力された画像信号を画像ブロックに分割して符号化処理を行うものであることは明らかであるので、引用発明の「入力された画像信号を符号化」することは、本願補正発明の「画像ブロックのためのビデオ信号データを符号化する」ことに相当する。
　したがって、引用発明の構成（ａ）の「入力された画像信号を符号化して出力するＪＶＴ（Ｈ．２６４／ＭＰＥＧ−４　ＡＶＣ）方式に準じた画像情報符号化装置」は、本願補正発明の構成（Ａ）の「画像ブロックのためのビデオ信号データを符号化するための装置」と一致する。
イ．本願補正発明の構成（Ｂ）、（Ｄ）について
　引用発明は、構成（ｄ）のように、４：４：４フォーマットを示す画像信号を符号化するものであるから、４：４：４フォーマットを示す画像信号をＪＶＴ（Ｈ．２６４／ＭＰＥＧ−４　ＡＶＣ）方式に準じた方式で符号化を行う符号化装置である。
　また、構成（ｂ）のように、直交変換部、量子化部、フレームメモリ、動き予測・補償部、イントラ予測部等により構成される符号化装置であるところ、残差色変換を行う手段は備えていない符号化装置である。
　したがって、引用発明は、４：４：４フォーマットを示す画像信号の色成分を、残差色変換を適用することなく符号化するものであり、そのような符号器を備えているものといえる。
　よって、引用発明の画像情報符号化装置は、本願補正発明の構成（Ｂ）の「前記ビデオ信号データの色成分を、それらに残差色変換を適用することなく符号化する符号器を含み」という構成を備えているといえる。
　さらに、引用発明の４：４：４フォーマットを示す画像信号は、画像信号のサンプリングが４：４：４フォーマットであることを規定していることは明らかであるので、本願補正発明の構成（Ｄ）の「前記ビデオ信号データのサンプリングが、４：４：４フォーマットに対応する」という構成と一致するものである。
ウ．本願補正発明の構成（Ｃ）について
　本願補正発明の構成（Ｃ）について確認すると、構成（Ｃ）の「共通の色成分予測器および予測フレームについて同じ補間フィルタを使用して、前記ビデオ信号データの前記色成分のすべてを符号化し」とは、本願明細書の段落［００４７］の「３つの成分のすべてが、イントラ・フレームについて同じ空間予測器を使用し、ＢおよびＰ（予測またはインター符号化）フレームについて同じ補間フィルタを使用する一実施形態によれば、」という記載にサポートされる構成である。
　よって、構成（Ｃ）の「共通の色成分予測器」は、イントラ予測における色成分予測器に関するものであり、予測フレームについての「同じ補間フィルタ」は、インター予測における補間フィルタに関するものである。
　一方、引用発明は、構成（ｄ）のように、イントラ予測部において、クロマフォーマット信号が４：４：４フォーマットを示す画像信号をイントラ予測器３１ｃにより予測を行うものであるから、４：４：４フォーマットを示す画像信号の色成分のすべてにイントラ予測を行って符号化するイントラ予測器３１ｃを備えているものといえるが、そのイントラ予測器３１ｃが、色成分のすべてについて共通のものであるかは特定されていない。
　また、引用発明は、構成（ｃ）のように、動き予測・補償部において、インター符号化が行われる画像に関し、参照される画像情報をフレームメモリより取り出し、動き予測・補償処理を施すものであるから、画像情報符号化装置に入力される４：４：４フォーマットを示す画像信号の色成分のすべてについて、フレームメモリに蓄積された予測用に参照される画像情報を用いてインター予測を行うものといえるが、色成分のすべてについて、予測用に参照される画像情報に対して同じ補間フィルタを適用することは特定されていない。
　すなわち、引用発明は、４：４：４フォーマットを示す画像信号の色成分のすべてについて、イントラ予測を行って符号化するイントラ予測器３１ｃを備えたイントラ予測部と、フレームメモリに蓄積された予測用に参照される画像情報を用いてインター予測を行う動き予測・補償部を有している。
　そして、引用発明のイントラ予測部、動き予測・補償部は、上記イにおいて認定したように、符号化器を構成する要素であり、イントラ予測器３１ｃは、本願補正発明の「色成分予測器」に相当し、フレームメモリに蓄積された予測用に参照される画像情報は、本願補正発明の「予測フレーム」に相当する。
　以上のことから、引用発明は、本願補正発明の構成（Ｃ）と、「前記符号器は、色成分予測器および予測フレームを使用して、前記ビデオ信号データの前記色成分のすべてを符号化し」という構成を備えている点で共通するものといえる。
　ただし、このビデオ信号データの色成分のすべてを符号化する符号器に関し、本願補正発明は、「共通の」色成分予測器を使用するものであって、予測フレームについて「同じ補間フィルタ」を使用するものであるのに対し、引用発明は、色成分予測器を使用し、予測フレームを使用するものであるが、「共通の」色成分予測器を使用し、予測フレームについて「同じ補間フィルタ」を使用するものとは特定されていない点で両者は相違する。
エ．まとめ
　上記アないしウの対比結果をまとめると、本願補正発明と引用発明との［一致点］と［相違点］は以下のとおりである。
［一致点］
　画像ブロックのためのビデオ信号データを符号化するための装置であって、前記ビデオ信号データの色成分を、それらに残差色変換を適用することなく符号化する符号器を含み、前記符号器は、色成分予測器および予測フレームを使用して、前記ビデオ信号データの前記色成分のすべてを符号化し、前記ビデオ信号データのサンプリングが、４：４：４フォーマットに対応する、前記装置。
［相違点］
　ビデオ信号データの色成分のすべてを符号化する符号器に関し、本願補正発明は、「共通の」色成分予測器を使用するものであって、予測フレームについて「同じ補間フィルタ」を使用するものであるのに対し、引用発明は、色成分予測器を使用し、予測フレームを使用するものであるが、「共通の」色成分予測器を使用し、予測フレームについて「同じ補間フィルタ」を使用するものとは特定されていない点。
（３−４）相違点の判断
　まず、上記（３−３）の「対比」のウにおいて検討したように、本願補正発明の「共通の色成分予測器」は、イントラ予測における色成分予測器に関するものであり、予測フレームについての「同じ補間フィルタ」は、インター予測における補間フィルタに関するものである。
　上記（３−２−２）に示したように、引用文献４には、『ＪＶＴ符号化方式におけるＹＵＶ、ＲＧＢ、ＸＹＺの色成分の４：４：４フォーマットのイントラクロマ予測において、輝度成分とクロマ成分間のテクスチャ相関を利用して、輝度とクロマの場合で同じイントラ予測を使用することにより、符号化効率をわずかに犠牲にしながら、符号化器の複雑さを低減する技術』が記載されている。
　このように、引用文献４には、引用発明と同様の４：４：４フォーマットの画像信号を符号化するＪＶＴ符号化方式に関連する技術として、４：４：４フォーマットの画像信号の各色成分に対し、同じイントラ予測を使用する技術が記載されている。
　よって、この引用文献４記載の技術を引用発明に適用し、４：４：４フォーマットの画像信号の各色成分に対して同じイントラ予測を行うために共通の色成分予測器を使用する構成とすること、すなわち、上記相違点に係る、ビデオ信号データの色成分のすべてを符号化する符号器において、「共通の」色成分予測器を使用するものとすることは、当業者が容易に想到し得ることである。
　また、上記（３−２−３）イ（ウ）に示したように、引用文献５には、『ＪＶＴ方式に準ずるＲ−Ｇ−Ｂ映像のビデオ符号化装置の技術であって、Ｒ−Ｇ−Ｂ映像は、Ｒ、Ｇ、Ｂの各成分間の解像度、周波数特性が類似しているため、インタープレーン予測部において、Ｒ−Ｇ−Ｂ映像の各成分に対して、以前の復元映像に適用するフィルタタップ補間部として、同じ長さのフィルタタップ補間部を選択して補間を行う技術』が記載されている。
　引用文献５記載の技術は、Ｒ、Ｇ、Ｂの各成分間の解像度、周波数特性が類似する映像信号を符号化するものであるから、いわゆる４：４：４フォーマットの画像信号の符号化を行う符号化装置といえ、引用発明と同様の４：４：４フォーマットの画像信号を符号化するＪＶＴ符号化方式に関連する技術として、インタープレーン予測部において、以前の復元映像に同じ長さのフィルタタップ補間部を適用して補間を行う技術が記載されている。
　よって、この引用文献５記載の技術を引用発明に適用し、インター予測において、４：４：４フォーマットの画像信号の各色成分に対して同じ長さのフィルタタップ補間部を適用して補間を行う構成とすること、すなわち、上記相違点に係る、ビデオ信号データの色成分のすべてを符号化する符号器において、予測フレームについて「同じ補間フィルタ」を使用するものとすることは、当業者が容易に想到し得ることである。
（３−５）効果等について
　本願補正発明の構成は、上記のように当業者が容易に想到できたものであるところ、本願補正発明が奏する効果は、その容易想到である構成から当業者が容易に予測しうる範囲内のものであり、同範囲を超える格別顕著なものがあるとは認められない。
（３−６）まとめ
　以上のように、本願補正発明は、引用文献１に記載された発明、及び引用文献４、引用文献５に記載された技術に基づいて当業者が容易に発明をすることができたものであるから、特許法第２９条第２項の規定により、特許出願の際独立して特許を受けることができないものである。
３．むすび
　以上のとおり、本件補正は、特許法第１７条の２第６項において準用する同法第１２６条第７項の規定に違反してなされたものであるから、同法第１５９条第１項において読み替えて準用する同法第５３条第１項の規定により却下すべきものである。
第３　本願発明について
１．本願発明
　平成２８年１１月２日付けの手続補正は上記のとおり却下されたので、本願の請求項に係る発明は、平成２８年４月２１日付け手続補正書の特許請求の範囲の請求項１ないし２０に記載した事項により特定されるものであるところ、その請求項１に係る発明（以下「本願発明」という。）は、上記第２の１の「本件補正の内容」に示した（補正前の請求項１）に記載された事項により特定されるとおりのものである。
２．引用発明
　原査定の拒絶の理由に引用された引用文献１に記載された発明（引用発明）は、上記第２の２（３−２−１）イの「引用文献１に記載される発明」に認定したとおりである。
３．対比
　本願発明は、上記第２の１の「本件補正の内容」で摘示した本願補正発明に追加された限定事項を省いたものである。
　そうすると、上記第２の２（３−３）の「対比」における検討を援用すると、本願発明と引用発明との［一致点］と［相違点］は以下のとおりである。
［一致点］
　画像ブロックのためのビデオ信号データを符号化するための装置であって、前記ビデオ信号データの色成分を、それらに残差色変換を適用することなく符号化する符号器を含み、前記符号器は、予測器を使用して、前記ビデオ信号データの前記色成分のすべてを符号化し、前記ビデオ信号データのサンプリングが、４：４：４フォーマットに対応する、前記装置。
［相違点］
　ビデオ信号データの色成分のすべてを符号化する符号器に関し、本願発明は、「共通の」予測器を使用するものであるのに対し、引用発明は、予測器を使用するものであるが、「共通の」予測器を使用するものとは特定されていない点。
４．判断
　上記第２の２（３−４）の「相違点の判断」における検討を援用すると、上記相違点は、引用文献１に記載された発明、及び引用文献４に記載される技術に基づいて、当業者が容易に発明をすることができたものである。
第４　むすび
　以上のとおり、本願の請求項１に係る発明は、引用文献１に記載された発明、及び引用文献４に記載される技術に基づいて当業者が容易に発明をすることができたものであるから、特許法第２９条第２項の規定により特許を受けることができない。
　したがって、本願は、その余の請求項について論及するまでもなく、拒絶をすべきものである。
　よって、結論のとおり審決する。